(57)【要約】　　　（修正有）【課題】ＩＰＳネマチック液晶ディスプレイの視野角特性を改善する。【解決手段】面内スイッチング（ＩＰＳ）方式液晶セル、偏光子、および補償フィルムを含んでなるディスプレイであって、前記補償フィルムが、前記液晶セル面に垂直な平面内でチルとされているその光軸に対して配向された正の複屈折材料を有するディスプレイ。【選択図】　　　図１１Ｂ
2004094219.tif 000002
【特許請求の範囲】
【請求項１】
面内スイッチング（ＩＰＳ）方式液晶セル、偏光子、および補償フィルムを含んでなるディスプレイであって、前記補償フィルムが、前記液晶セル面に垂直な平面内でチルトされているその光軸に対して配向された正の複屈折材料を有するディスプレイ。
【請求項２】
一対の偏光子を含み、１つがＩＰＳ方式液晶セルの各面上に配置され、該一対の偏光子が交差する光軸を有している請求項１記載のディスプレイ。
【請求項３】
前記正の複屈折材料が、ベースフィルムの垂線に沿う光軸または遅い軸を伴う正の光学的異方性を有するベースフィルム上に配置されている請求項１または２記載のディスプレイ。
【請求項４】
電界が印加されてないときに、前記液晶光軸の方位角方向が、前記偏光子の一方の透過軸に対して平行方向に一様に配向している請求項１または２記載のディスプレイ。
【請求項５】
前記ＩＰＳ方式液晶セル内部の液晶光軸が、前記セル厚方向に対して方位角回転を示す請求項１または２記載のディスプレイ。
【請求項６】
前記偏光子と前記ＩＰＳ方式液晶セルとの間に追加の光学的異方性フィルムが配置されており、当該光学的異方性フィルムが負の複屈折材料を含み、前記負の複屈折材料の光軸が前記ＩＰＳ方式液晶セル内部の液晶光軸の反対の左右像を有する方位角回転を示す請求項５記載のディスプレイ。
【請求項７】
積、ｄｎｅｇ（ｎｏｎｅｇ−ｎｅｎｅｇ）が、０．８Ｒｃｅｌｌ＜ｄｎｅｇ（ｎｏｎｅｇ−ｎｅｎｅｇ）＜１．２Ｒｃｅｌｌを満たす請求項６記載のディスプレイ。ｎｏｎｅｇおよびｎｅｎｅｇは、それぞれ負の複屈折材料の常光線および異常光線屈折率を表し、ｄｎｅｇは負の複屈折材料を有する前記光学的異方性フィルムの厚みであり、Ｒｃｅｌｌは、ツイスト型ＩＰＳ方式液晶セルの位相リターデーションである。
【請求項８】
前記光学的異方性フィルムの光軸および前記ＩＰＳ方式液晶セルの内部の液晶光軸が、それらの境界面のところでお互いに交差されている請求項６記載のディスプレイ。
【請求項９】
正の複屈折材料を含む前記補償フィルムが、ベースフィルムの垂線に沿う光軸または遅い軸を伴う正の光学的異方性を有するベースフィルム上に配置されている請求項６記載のディスプレイ。
【請求項１０】
前記補償フィルムの正の複屈折材料の光軸の配向が光配向を用いて達成する請求項１記載のディスプレイの作製方法。
【発明の詳細な説明】
【０００１】
【発明の属する技術分野】
本発明は面内（ｉｎ−ｐｌａｉｎ）スイッチングネマチック液晶ディスプレイセル、偏光子、および特定の補償フィルムを含んでなるディスプレイに関連する。
【０００２】
【従来の技術】
液晶（ＬＣ）が、電子ディスプレイ用に広く用いられている。これらのディスプレイ系では、ＬＣ層は一般的に一組の偏光子層の間に配置される。第一の偏光子によって偏光された入射光は液晶セルを通り、液晶内の分子配向（セル全体に電圧を印加することによって変えることができる）によって影響される。変更された光は第二の偏光子に入る。この原理を用いて、外部光源（周囲光を含む）からの光の透過をコントロールすることができる。このコントロールに必要なエネルギーは、一般的に、他のディスプレイタイプ、例えば陰極管に用いられる発光材料に必要なエネルギーよりは非常に小さい。したがって、ＬＣ技法は、軽量、低電力消費かつ長寿命操作が重要な特徴である、これらに限定するものではないがデジタル時計、計算機、ポータブルコンピュータを含めた多くの電子画像形成装置に用いられる。コントラスト、色再現、および安定グレースケール明暗度は、液晶技術を用いる電子ディスプレイの重要な品質特性である。液晶ディスプレイのコントラストを制限している主要因は、暗または「ブラック」ピクセル状態にある液晶素子またはセルをとおって光が「漏れる」という傾向にある。さらに、この漏洩、そしてこのための液晶ディスプレイのコントラストはディスプレイスクリーンを見る角度による。一般的に、最適なコントラストは、ディスプレイに対する垂直入射を中心とした狭い視野角内においてのみ観察され、視野角が増加すると急激に低下する。カラーディスプレイでは、漏洩問題はコントラストを悪化させるだけでなく、色再現の悪化を伴う色または色相シフトも生じる。一般的なツイストネマチック液晶ディスプレイでは、ブラック状態光漏洩に加えて、この狭い視野角問題は、液晶材料の光学異方性のために、視野角の関数としての輝度−電圧曲線がシフトすることによって悪化する。
【０００３】
コントラスト、色再現、および安定グレースケール明暗度は、液晶技術を用いる電子ディスプレイの重要な品質特性である。液晶ディスプレイのコントラストを制限している主要因は、暗または「ブラック」ピクセル状態にある液晶素子またはセルをとおって光が「漏れる」という傾向にある。さらに、この漏洩、そしてこのための液晶ディスプレイのコントラストはディスプレイスクリーンを見る角度に依存する。一般的に、最適なコントラストは、ディスプレイに対する垂直入射付近を中心とした狭い視野角内においてのみ観察され、視野角が増加すると急激に低下する。カラーディスプレイでは、漏洩問題はコントラストを悪化させるだけでなく、色再現の悪化を伴う色または色相シフトも生じる。
【０００４】
液晶ディスプレイ（ＬＣＤ）は、デスクトップコンピュータ、およびオフィス用または家庭用装置ののモニターとしてＣＲＴ（陰極管）急速にとって代わっている。大画面のＬＣＤテレビモニタの数量も今後急速に上昇するであろう。しかし、もし着色、コントラスト劣化および輝度逆転等の視野角依存の問題が解決されないなら、従来のＣＲＴの代替物としてのＬＣＤ用途は限定されるであろう。
【０００５】
この問題を解決するために、いくつかの方法が提案されている。その一つは位相リターデーションフィルムをＬＣＤの液晶セルと偏光子との間に配置することである。これらのフィルムが液晶セル内の光線によって悪くなる位相リターデーションを補償して、良好な画質を有する視野各領域を拡大する。第二の方法は、特定の液晶セル構造を用いることである。例えば、マルチドメイン方式では、各ピクセルにおける液晶配向を複数のサブピクセルに適当に分割することによって補償が成し遂げられる。
【０００６】
これらの方法では、電界を液晶セルの面に対して垂直に適用して、液晶分子の光軸方向（光が複屈折を受けない方向）をコントロールする。これは、従来のＬＣＤの輝度変動が主として液晶セル表面に対して垂直な面内における液晶光軸の変動によって生じることを意味する。これが、種々の方向への光線伝搬が位相リターデーションを受けるときに、視野角に強く依存する主たる原因である。
【０００７】
Ｏｈｅ等の米国特許第５，６００，４６４号明細書には、液晶セルの平面内（以下「面内場」という）に電界を印加する方式が開示されている。この方式は、「面内スイッチング（Ｉｎ−Ｐｌａｎｅ　Ｓｗｉｔｃｈｉｎｇ）」方式を略して通常ＩＰＳ方式と呼ばれる。ＩＰＳ方式液晶ディスプレイでは、液晶の面内に留まったままで、液晶光軸がその方向を変える。これにより良好な視野角特性を生じる。視野角特性（ＶＡＣ，　Ｖｉｅｗｉｎｇ　Ａｎｇｌｅ　Ｃｈａｒａｃｔｅｒｉｓｔｉｃ）は、異なる見る方向からのコントラスト比の変化を説明する。ここで、見る方向を、液晶ディスプレイ１０１に関して、図１に示すように極視野角（ｐｏｌａｒ　ｖｉｅｗｉｎｇ　ａｎｇｌｅ）αと方位視野角（ａｚｉｍｕｔｈａｌ　ｖｉｅｗｉｎｇ　ａｎｇｌｅ）βとの組として規定する。極視野角αをディスプレイに直角な方向１０３から測定し、方位視野角βは、ディスプレイ面上の平面１０７内の適当な基準方向１０５とベクトル１０９のディスプレイ面１０７に対する投影１０８との間にひろがる。種々のディスプレイ画像特性、例えばコントラスト比、色および輝度は、角αおよび角βの関数である。
【０００８】
ＩＰＳ方式液晶ディスプレイの操作にはいくつかのタイプがある。リーン（Ｌｉｅｎ）等は、ＳＩＤダイジェスト（ＳＩＤ　Ｄｉｇｅｓｔ）、１９９６年、ｐ．１７５−１７８において、液晶が、最初にホモジニアス配向または９０°ねじれ配向をとる種々のタイプを提案している。これらを、図２Ａ、２Ｂ、２Ｃ、３Ａ、３Ｂ、３Ｃ、４Ａ、４Ｂおよび４Ｃを参照して説明する。
【０００９】
図２Ａは、ＯＦＦ状態（面内電界の無い状態）にあるホモジニアス型ＩＰＳ方式液晶セルを上から見た図である。液晶セル光軸２０１は、偏光子２０３の透過軸と平行方向に一様に配向している。一対の偏光子の透過軸２０３、２０４は交差している。ここでは、「交差する」とは、透過軸が９０°±１０°の範囲の角を形成することをいう。一対の電極２０５Ａ、２０５Ｂは、スイッチ２０９を備えた電源２０７に接続されている。全ての図に示すスイッチ２０９は単なる略図である。図に示すスイッチは、一般的なスイッチ素子、例えば、アクティブマトリックスディスプレイの一つの画素をオン、オフするのに通常用いられる薄膜トランジスタ（ＴＦＴ）を表す。図２Ｂおよび２ＣはＯＮ状態（面内電界が印加された状態）を示す。液晶の誘電異方性の符号にしたがうと、それらは矢印２０２で示す面内電界方向に対して平行（正の異方性、図２Ｂ）または垂直（負の異方性図２Ｃ）に配向する。
【００１０】
図３Ａ、３Ｂおよび３Ｃは、図２Ａ、２Ｂおよび２Ｃに各々対応する側面図である。ホモジニアス型ＩＰＳ方式液晶ディスプレイ３０１は、２つのガラス板３０９Ａおよび３０９Ｂを有する。第一偏光子３０２が、ガラス板３０９Ａに取付けられており、第二偏光子は、ガラス板３０９Ｂに取付けられている。図３Ａは、液晶光軸３０４が、第一偏光子３０２の透過軸に対して平行である場合はＯＦＦ状態である。図３Ｂでは、液晶光軸３０４が、電極３０７Ａおよび３０７Ｂの間に印加された面内電界３０５の方向に対して平行にに配向しているが、図３Ｃでは、面内電界３０５の方向に対して垂直である。誘電異方性の符号は図３Ｂでは正であり、図３Ｃでは負である。ＯＦＦ状態（図２Ａおよび３Ａ）では、液晶光軸３０４が第一偏光子３０２の透過軸に対して平行であるので、光は複屈折に遭遇することなく、第二偏光子３０３によってブロックされる。したがって、ＯＦＦ状態は暗状態を与える。ＯＮ状態（図２Ｂ、２Ｃ、３Ｂおよび３Ｃ）では、光軸３０４はある角度だけそのもと方向から偏向しているあいだ、入射光は位相リターデーションをうける。その結果、出ていく光はもはや直線的に偏光されてない。したがって、光の一部が第二偏光子３０３を通り抜ける。これは明状態に相当する。しかし、現実の適用では、液晶光軸３０４は、ＯＦＦ状態の場合の図Ｄに示すように、液晶セル面（３０９Ａ、３０９Ｂのようなガラス板の面に平行な面）に対して非ゼロチルト角φ（ファイ）を有する。これは、機械的なラビングによるような配向操作の結果であり、通常は１０°未満である。我々は、液晶光軸３０４の方位角方向を、セル表面３１０へのその投影によって規定する。それ故、ＯＦＦ（暗）状態の場合、それは、偏光子３０２の透過軸に対して平行に一様に配向する液晶光軸３０４の方位角方向３１１である。
【００１１】
図４ＡはＯＦＦ状態にあるツイスト型ＩＰＳ方式液晶ディスプレイの側面図である。ツイスト型ＩＰＳ方式液晶ディスプレイ４１１は、底部および最上部ガラス板４０１Ａ、４０１Ｂならびに一対の偏光子４０２および４０３から形成される。第一偏光子４０２がガラス板４０１に取付けられており、第二偏光子４０３はガラス板４０１Ｂ上に置かれている。この場合、一対の偏光子４０２および４０３の透過軸は平行である。ここで、「平行」とは、一対の偏光子の透過軸が０°±１０°の範囲の角を形成することをいう。液晶光軸４０５は９０°方位角ねじれを示す。図４Ａでは、ねじれは、液晶光軸４０５が矢印４０７によって示される厚みを増す方向に従って反時計方向に回転することを意味する右回りである。厚み方向で時計回りに回転する場合は、左回りねじれという。２つの電極４１３Ａ、４１３Ｂの間に面内電界を印加すると、ねじれの巻き戻しが起きる。図４Ｂおよび図４Ｃは、それぞれ正および負の誘電異方性の場合の、面内電界を有するＯＮ状態にある液晶の状態の略図である。ＯＦＦ状態（図４Ａ）では、偏光子４０２の透過軸の方向に変更された入射光は９０°回転され、第二の偏光子４０３によって吸収される。これは暗状態を与える。これに対しＯＮ状態（図４Ｂおよび４Ｃに相当する）は、液晶光軸４０５のねじれ配位の巻き戻しのために、第二偏光子４０３に入るときは光がもはや直線的に偏光されていないので、明状態である。通常、光軸４０５は液晶セル面４０１に対して非ゼロチルト角φを有する（ここではそれはガラス板４０１Ａ、４０１Ｂの面に平行な面に対して平行である）。液晶光軸４０５の方位角方向４０６を、液晶セル平面４４１上への光軸４０５の投影によって規定する。
【００１２】
位相リターデーションフィルムを用いて、ＩＰＳ方式液晶ディスプレイのＶＡＣを改善するいくつかの試みがなされている。図５Ａ、５Ｂ、５Ｃおよび５Ｄは、屈折率楕円体によって表される種々のタイプの位相リターデーションフィルムである。図５Ａでは、光軸５０３の方向は面５０１内にある。対応する屈折率は異常光屈折率ｎｅである。もう一方の屈折率は常光屈折率ｎｏである。ｎｅ＞ｎｏである場合、正Ａ−フィルムと呼び、そうでないものは負Ａ−フィルムと呼ぶ。図５Ａは、正の場合を示す。図５Ｂに示されるように、光軸５０５が平面５０１に対して垂直である場合、通常、このフィルムはＣ−フィルムと呼ばれる。ｎｅ＞ｎｏである場合、正であり、そうでない場合は負である。図４の例は負である。Ａ−フィルムおよびＣ−フィルムは一軸フィルムであり、二つの異なる屈折率、常光屈折率ｎｏおよび異常光屈折率ｎｅがある。一軸媒体の場合、フィルムの結晶性配向を説明するのにそれらの光軸を用いることができる。また、図５Ｃに示すように３つの主屈折率ｎｘ０、ｎｙ０およびｎｚ０が全て異なる二軸媒体の場合もある。遅い軸は最も大きな屈折率の方向にある。図５Ｃに示す例では、最大屈折率はｎｚ０であるので、遅い軸５０９はフィルム面５０１に対して垂直である。図５Ｄに示すように、一般的に、遅い軸５１１はフィルム平面５０１に対して任意の方向を指し示すことができる。二軸媒体では光軸は遅い軸に対して必ずしも平行でない。しかし、我々は以下の二軸媒体の配向を説明するのに遅い軸を用いる。
【００１３】
米国特許第６，１８４，９５７号には、ＩＰＳ方式液晶ディスプレイにために負の複屈折（ｎｅ＜ｎｏ）を有するフィルムを用いることが開示されている。ＩＰＳ方式液晶セルと組合せると、この方法は特定の視野角内のグラデーションおよび彩色の反転を防止する。図６Ａはツイスト型ＩＰＳ方式液晶ディスプレイ６３１に対するこの方式の適用を示す。ツイスト型ＩＰＳ方式液晶セル６０７が、偏光子６０３とフィルム６０５との間に挟まれている。もう一つの偏光子６０７はフィルム６０５の最上部に配置されている。この場合のフィルム６０５は、負の複屈折材料からなっており、その光軸はフィルム面に対して平行の面内で９０°の方位角ねじれを示す（ツイスト構造フィルム）。この例のフィルム６０５におけるねじれの向きは、液晶セルのねじれに対して反対となるように選択される。一対の偏光子の透過軸６０９、６１１は、この場合交差されている。図６ＡのディスプレイのＶＡＣを図６Ｂに示す。円６２１、６２３および６２５はそれぞれコントラスト比４００、８００および１２００を表す。線６２７は、極視野角α３０°での方位視野角０°≦β＜３６０°のコントラスト比の変動を描く。この補償方法は、未補償の場合と比較するといくらか改善を示すが、βが４５°、１３５°、２２５°、または３１５°の場合にコントラスト比が低下する。
【００１４】
ＩＰＳ方式液晶ディスプレイを補償するもう一つの試みでは、サイトウ（Ｓａｉｔｏｈ）等は、ＳＩＤダイジェスト（ＳＩＤ　Ｄｉｇｅｓｔ）、１９９８年、ｐ．７０６−７０９において、ホモジニアス型ＩＰＳ方式液晶ディスプレイの改善を提案した。これは、ホモジニアス型ＩＰＳ方式液晶セルと偏光子との間に位相リターデーションフィルムを配置することによって達成された。ホモジニアス型ＩＰＳ方式液晶ディスプレイ７１７を図７Ａに示す。一つの二軸補償フィルム７０１が、ホモジニアス型ＩＰＳ方式液晶セル７０３と一対の偏光子７０５および７０７と組合せて用いられている。二軸補償フィルム７０１の遅い光軸７０９の方向は、偏光子７０５の透過軸７１１の方向、およびＯＦＦ状態のホモジニアス型ＩＰＳ方式液晶セル７０３の液晶光軸７１３の方位角方向と平行である。もう一方の偏光子７０５の透過軸７１１は、他方の偏光子７０７の透過軸７１５に対して直角である。この構成は、ＯＦＦ状態での光漏洩を低下させ、それによりコントラスト比を高める。しかし、この方法は、図３Ｄの場合のような非ゼロチルト角φを有する場合では、深刻な制限がある。上述したように、実際の適用における配向操作の結果として、液晶光軸３０４は液晶セル面３１０に対して非ゼロチルト角φを有する。これは、ＯＦＦ状態で光漏洩へと導き、コントラスト比を悪化させる。図７Ｂおよび７Ｃは、それぞれ、φ＝２°およびφ＝４°のＯＦＦ状態とＯＮ状態との間のコントラスト比の極プロットである。コントラスト比７２１，７３１（ここで、コントラスト比、３００、６００および９００は、円７２３、７２５および７２７にそれぞれ対応する）の変動を、極視野角α＝３０°の場合の方位視野角０°≦β＜３６０°のコントラスト比の変動に対してプロットした。これらは、液晶光軸のチルト角φの増加によって生じる広範な方位視野角βにおけるコントラストの悪化を実証する。例えば、コントラスト比は、β＝１５０°および３３０°のところで、φ＝２°チルト（図７Ｂ）の５５０から、φ＝４°チルトの場合（図７Ｃ）では、３００より下に低下する。
【００１５】
上述したＩＰＳ方式および補償方法は、ある範囲まで液晶ディスプレイのＶＡＣを改善した。しかし、慎重な試験の後、発明者等は従来技術のＩＰＳ方式液晶ディスプレイが満足のいく視野品質を達成していないことを悟った。これは、主として高視野角におけるコントラスト比の悪化のためである。それは、一部は、液晶セル面に対して液晶光軸が配向されている無視できないチルト角φによって生じるＯＦＦ状態の光漏洩に起因している。また、交差させた偏光子からの光漏洩も視野品品質を低下させる。
【００１６】
【特許文献１】
米国特許第５，６００，４６４号
【特許文献２】
米国特許第６，１８１，４００号
【特許文献３】
米国特許第６，１８４，９５７号
【特許文献４】
米国特許第６，２４５，３９８号
【特許文献５】
米国特許第６，３６２，０３２号
【非特許文献１】
マーチンシャド（Ｍａｒｔｉｎ　Ｓｃｈａｄｔ）等著「単基板上のハイブリッド液晶ポリマーフィルム光誘導配向およびパターン二ング」（Ｐｈｏｔｏ−ｉｎｄｕｃｅｄ　Ａｌｉｇｎｍｅｎｔ　ａｎｄ　Ｐａｔｔｅｒｎｉｎｇ　ｏｆ　Ｈｙｂｒｉｄ　Ｌｉｑｕｉｄ　Ｃｒｙｓｔａｌｌｉｎｅ　Ｐｏｌｙｍｅｒ　Ｆｉｌｍｓ　ｏｎ　Ｓｉｎｇｌｅ　Ｓｕｂｓｔｒａｔｅｓ）、応用物理日本ジャーナル（ＪａｐａｎｅｓｅＪｏｕｒｎａｌ　ｏｆ　Ａｐｐｌｉｅｄ　Ｐｈｙｓｉｃｓ）、　第２部、第３４巻、Ｎｏ．６Ｂ、１９９５年６月１５日、ｐ．Ｌ７６４−７６７
【非特許文献２】
エイ．リーン（Ａ．　Ｌｉｅｎ）等著「面内スイッチング方式ＬＣＤの２−Ｄシミュレーション」（２−Ｄ　Ｓｉｍｕｌａｔｉｏｎｓ　ｏｆ　Ｉｎ−Ｐｌａｎｅ　Ｓｗｉｔｃｈｉｎｇ−ＭｏｄｅＬＣＤｓ）、ＳＩＤダイジェスト（ＳＩＤ　Ｄｉｇｅｓｔ）、１９９６年、ｐ．１７５−１７８
【非特許文献３】
ワイ．サイトウ（Ｙ．　Ｓａｉｔｏｈ）等著「光学補償された面内スイッチング方式ＴＦＴ−ＬＣＤパネル」（Ｏｐｔｉｃａｌｌｙ　Ｃｏｍｐｅｎｓａｔｅｄ　Ｉｎ−Ｐｌａｎｅ−Ｓｗｉｔｃｈｉｎｇ−Ｍｏｄｅｌ　ＴＦＴ−ＬＣＥ　Ｐａｎｅｌ）、ＳＩＤダイジェスト（ＳＩＤ　Ｄｉｇｅｓｔ）、１９９８年、ｐ．７０６−７０９
【００１７】
【発明が解決しようとする課題】
ＩＰＳネマチック液晶ディスプレイのＶＡＣを改善することが解決すべき問題点である。
【００１８】
【課題を解決するための手段】
本発明は、面内スイッチング（ＩＰＳ）方式液晶セル、偏光子、および補償フィルムを含んでなるディスプレイであって、前記補償フィルムが、前記液晶セル面に垂直な平面内でチルトされているその光軸に対して配向された正の複屈折材料を有するディスプレイを提供し、そしてそれを用いる画像形成方法を提供する。そのようなディスプレイは改善された視野角特性（ＶＡＣ）を示す。
【００１９】
【発明の実施の形態】
本発明の種々の要素に数字を付した図面を参照して、本発明を当業者にも実施可能であるように具体的に説明する。
【００２０】
図２Ａ、２Ｂおよび２Ｃは、ホモジニアス型ＩＰＳ方式液晶ディスプレイの動作方式を示したものである。図２Ａに示すようにＯＦＦ状態では、液晶光軸２０１は、第一偏光子２０３の透過軸と平行である。図２Ｂおよび２Ｃに示すように、ＯＮ状態では、液晶光軸２０１は、偏光子透過軸の方向２０３から外れる。図３Ａ、３Ｂおよび３Ｃは、図２Ａ、２Ｂおよび２Ｃにそれぞれ対応する断面図である。ＯＦＦ状態では、第一偏光子３０２を通る光は複屈折に会わないであろうから、第二偏光子３０３によって吸収される。このようにしてＯＦＦ状態は暗状態を提供する。一方、ＯＮ状態では、液晶光軸３０４が第一偏光子３０２の透過軸の方向から外れているので、光は液晶セルの複屈折を受ける。この光が第二偏光子３０３に到達すると、それはもはや第二偏光子の透過軸に対して直角方向に直線的に偏向されておらず、これが明状態を生じる。
【００２１】
高コントラスト比を達成するための鍵の一つは、ＯＦＦ状態での光漏洩を防止することである。ＯＦＦ状態では、光軸は偏光子３０２の透過軸上にあるので、交差させた偏光子を補償することによって光漏洩を減らすことができる。この方法（図７Ａに示す）は、ＶＡＣにおいていくつかの改善を示す。この方法にしたがうと、二軸補償フィルム７０１がホモジニアス型ＩＰＳ方式液晶セル７０３と偏光子７０５との間に配置される。一対の偏光子７０５、７１７の透過軸７１１、７１５は交差されている。二軸補償フィルム７０１の遅い軸７０９は、ＩＰＳ方式液晶セル７０３（この場合では、水平方向から７５°をとっている）の液晶光軸７１３の方位角方向および偏光子７０５の透過軸７１１に対して平行である。しかし、図３Ｄの場合のように、液晶セル面３１０に対して非ゼロチルト角φの光軸３０４が存在すると、ＯＦＦ状態で、光をブロックし損なう。光漏洩のために、適当な補償方法を伴わないと全ての方位視野角βで高コントラスト比を達成できない。例えば、図７Ｂおよび７Ｃでは、それぞれ、チルト角φ＝２°およびφ＝４°の場合の、コントラスト比の方位視野角依存に関して、視野角特性（ＶＡＣ）の補償が行われている。極視野角αが３０°のところでのコントラスト比をとった。線７２１は、チルト角φ＝２°の場合のコントラスト比の極プロットである。図７Ｃが実証するように、チルト角４°に増加すると、線７３１に示すようにコントラスト比が低下する。本発明では、ホモジニアス型ＩＰＳ方式液晶ディスプレイのＶＡＣは、当該ディスプレイとセル表面に垂直な平面においてフィルムの光軸がチルトしている補償フィルムと組合せることによって著しく改善される。
【００２２】
本発明にしたがう、ホモジニアス型ＩＰＳ方式液晶ディスプレイ用の補償フィルム８０５、８１３は、図８Ｂおよび８Ｃに示すように、ベースフィルム８１１の上に配置された光学異方性層８０９を有する。ベースフィルム８１１の光学特性は、図５Ｂに示すような一軸の正Ｃ−フィルムの光学特性と近いのが好ましい。フィルムに対して直角の遅い軸を有する二軸フィルム（例えば、図５Ｃに示すようなもの）も、ベースフィルム８１１として用いることができる。ベースフィルム８１１（厚みｄｂａｓｅ）の面外位相リターデーションＲｂａｓｅは、一軸の場合（図５Ｂに相当する）は、
Ｒｂａｓｅ＝ｄｂａｓｅ（ｎｅｂａｓｅ−ｎｏｂａｓｅ）
で与えられ、二軸の場合（図５Ｃに相当する）は、
【００２３】
【数１】
2004094219.tif 000003
【００２４】
で与えられる。ここで、ｎｏｂａｓｅおよびｎｅｂａｓｅは、それぞれ、一軸ベースフィルムの常光線および異常光線の場合の屈折率である。ｎｘｏｂａｓｅ、ｎｙｏｂａｓｅおよびｎｚｏｂａｓｅは、図５Ｃおよび５Ｄに示す構成での、二軸ベースフィルムの３つの主たる屈折率である。Ｒｂａｓｅの好ましい値は、６０ｎｍ＜Ｒｂａｓｅ＜１００ｎｍ、より好ましくは、７０ｎｍ＜Ｒｂａｓｅ＜９０ｎｍである。
【００２５】
異方性層８０９は、一軸または二軸性の光学特性を備えた材料を有する。この材料の光軸の方向は、フィルム面上の一定の方位角で固定されている。方位角を、ベースフィルム８１１と光学異方性材料８０９の層との間にある配向層（示されてない）によって固定することができる。一軸性を備えた材料の場合、図８Ａに示すように、楕円体８０１の屈折率によって表すｎｅａｎｓ．＝ｎ３よりも小さい２つの等しい屈折率ｎｏａｎｓ．＝ｎ１＝ｎ２を有する。ここで、ｎｏａｎｓ．およびｎｅａｎｓ．は、それぞれ、異方性層の構成材料の、常光屈折率および異常光屈折率である。一軸の場合、光軸８０３の方向は最大屈折率ｎ３に対応し、この材料は正複屈折である。二軸の場合、全ての屈折率は値が異なると仮定し、これらの光軸は、必ずしも最も大きな屈折率方向にある必要はない。
【００２６】
本発明にしたがう補償フィルム８０５、８１３を図８ＢおよびＣに示す。正の複屈折材料をベースフィルム８１１上に付着させる。図８Ｂでは、この材料８０７の光軸は、フィルム厚をとおして角度θ１で一様にチルトしているが、図８Ｃでは、チルト角は変化し、θ２≠θ３である。２種類の可能な場合がある。即ち、チルト角が増加する場合（θ２＜θ３）または減少する場合（θ２＞θ３）である。フィルム８１５の方位角方向を、ベースフィルム８１１の面（図８Ｂおよび８Ｃでのｘ−ｙ平面に対応する）上への光軸チルト方向８０７の投影によって規定する。
【００２７】
一様な場合、チルト角θ１は、０°＜θ１≦１０°または、好ましくは、２°＜θ１≦８°である。チルト角が変化する場合、２つの場合がある。即ち、１）チルト角の減少（θ２＞θ３）および２）チルト角の増加（θ３＞θ２）である。減少する場合、θ２およびθ３は、１０°≦θ２≦２０°、０°≦θ３≦１０°であり、より好ましくは、１０°≦θ２≦１５°、０°≦θ３≦５°である。増加する場合、θ２およびθ３は、０°≦θ２≦１０°、１０°≦θ３≦２０°であり、より好ましくは、０°≦θ２≦５°、１０°≦θ３≦１５°である。積、ｄａｎｓ（ｎｅａｎｓ−ｎｏａｎｓ）は、好ましくは、１２０ｎｍ＜ｄａｎｓ（ｎｅａｎｓ−ｎｏａｎｓ）＜１５０ｎｍによって与えられる範囲にあり、より好ましくは１３０ｎｍ＜ｄａｎｓ（ｎｅａｎｓ−ｎｏａｎｓ）＜１４５ｎｍによって与えられる範囲にある。ここでｄａｎｓは、異方性層８０９の厚みである。
【００２８】
図９Ａは、本発明にしたがうホモジニアス型ＩＰＳ方式液晶ディスプレイ９２１の例を示す。一対の偏光子９０７、９０８の透過軸は交差している。ＩＰＳ方式液晶セル９０３を、補償フィルム９０５と偏光子９０８との間に配置する。他方の偏光子９０７の透過軸９０９は補償フィルム９１３の方位角方向に対して平行である。それは、ＯＦＦ状態のホモジニアス型ＩＰＳ方式液晶セル９０３の液晶光軸９１１の方位角方向に対しても平行である。一対の偏光子９０８、９０７の透過軸９０１、９０９は交差している。補償フィルム９０５は図８Ｃに示すような正のＣ−フィルム光学特性を有するベースフィルムを含むフィルム８１３の構成を有する。得られたＶＡＣを図９Ｂに示す。同心円９２３、９２５，９２７は、それぞれ、３００、６００および９００のコントラスト比を示す。線９２９は、ディスプレイをディスプレイ垂直から３０°のところ（α＝３０°）で見た場合の、方位視野角βの変化におけるコントラスト比の変化を示す。図７Ｃに示した従来技術ディスプレイ７１７のＶＡＣと比較すると、本発明のディスプレイのコントラスト比の改善が、図９Ｂに示すＶＡＣによって実証された。ディスプレイ７１７および９２１は液晶光軸３０４の同じチルト角φ＝４°を有する。例えば、β＝１５０°および３３０°におけるコントラスト比は３００未満から５５０以上に増加した。補償フィルム９０５もまた図８Ｂに示すようなフィルム８０５の構成をとってもよいことは理解されよう。
【００２９】
本発明にしたがうと、ツイスト型ＩＰＳ方式液晶ディスプレイを、液晶セル面に垂直な平面内でチルトした光軸を有する、配向された正の複屈折材料を含有する補償フィルムと、ツイスト構造フィルムとの組合せによって補償する。ツイスト構造フィルムは、光軸の方向においてツイスト構造を示す負の複屈折材料を含んでなる。補償フィルムは液晶セル面に垂直な平面内でチルトした光軸を有する、配向された正の複屈折材料を含有する。
【００３０】
本発明にしたがうと、また、ツイスト型ＩＰＳ方式液晶ディスプレイは、液晶セル面に垂直な平面内でチルトした光軸を有する、配向された正の複屈折材料と、厚み方向にわたってねじれた光軸を有する負の複屈折材料とを含んでなるフィルムによって補償される。
【００３１】
ツイストネマチック方式液晶ディスプレイにおいて、負の複屈折ツイスト構造フィルムを使用することが、米国特許第６，１８４，４００号明細書に開示されている。図１０Ａは、負の複屈折材料の屈折率楕円体１００１を示す。光軸は矢印１００３によって示される方向に在る。屈折率は関係式：ｎ３＜ｎ１≒ｎ２を満たす。ここで、一軸の場合は、ｎｅｎｅｇ＝ｎ３であり、ｎｏｎｅｇ＝ｎ１＝ｎ２（即ち、ｎｅｎｅｇ＜ｎｏｎｅｇ）である。負の複屈折材料の常光線および異常光線屈折率を、ｎｏｎｅｇおよびｎｅｎｅｇで表す。
【００３２】
ツイスト構造フィルム１０１３の例を、図１０Ｂに示す。ツイスト構造層１０１１がベースフィルム１００９の上に付着されている。ベースフィルムの光学特性は等方性であるのが好ましい。当該技術分野で周知であるように、等方性材料は主たる屈折率が等しい、即ち、ｎ１＝ｎ２＝ｎ３である。弱い一軸または二軸特性を有するフィルムも用いることができる。層１０１１の内部では、負の複屈折率を有するフィルムの光軸１００５、１００７が、当該フィルムの面内で９０°回転する。回転の左右像は、ツイスト型ＩＰＳ方式液晶セルのそれとは反対となるようにとるのが最適である。図１０Ｂの例では、層１０１１内の回転は右回りである。フィルムの厚みｄｎｅｇは、式：０．８Ｒｃｅｌｌ＜ｄｎｅｇ（ｎｏｎｅｇ−ｎｅｎｅｇ）＜１．２Ｒｃｅｌｌを満たし、より好ましくは、式：０．９Ｒｃｅｌｌ＜ｄｎｅｇ（ｎｏｎｅｇ−ｎｅｎｅｇ）＜１．１Ｒｃｅｌｌを満たす。ここで、Ｒｃｅｌｌは、ツイスト型ＩＰＳ方式液晶セルの位相リターデーションである。これは、Ｒｃｅｌｌ＝ｄｃｅｌｌ（ｎｅｌｃ−ｎｏｌｃ）によって与えられる。ｄｃｅｌｌは、ツイスト型ＩＰＳ方式液晶セルの厚みである。ｎｏｌｃおよびｎｅｌｃは、それぞれ、常光線および異常光線における液晶の屈折率である。
【００３３】
ツイスト型ＩＰＳ方式液晶ディスプレイの補償フィルムは、図８Ｂに示すフィルム８０５または図８Ｃに示すフィルム８１３の構造を有する。図８Ｂのようなチルトが一様な構造に関しては、θ１は、好ましくは、０°＜θ１＜６°または、より好ましくは、０°＜θ１＜４°である。図８Ｃの場合のようにチルトが変化する場合は、２つの場合がある。即ち、１）チルト角の減少θ２＞θ３および２）チルト角の増加（θ２＜θ３）である。最初の場合、好ましい値は、０°≦θ２≦８°、０°≦θ３≦４°であり、より好ましくは、０°＜θ２≦４°、０°≦θ３≦２°である。増加する場合、これはまさに減少する場合の反対であって、０°≦θ２≦４°、０°＜θ３≦８°であり、好ましい値は、０°≦θ２≦２°、０°＜θ３≦４°である。
【００３４】
図１１Ａは、本発明にしたがうディスプレイの態様１１４９の一つである。ツイスト型ＩＰＳ方式液晶セル１１０７は、補償フィルム１１１とツイスト構造１１０５の間に挟まれている。一対の偏光子１１０３および１１０９を用い、それらの透過軸１１０１および１１１３は交差されている。当該補償フィルム１１１の方位角方向１１１５は、隣接する偏光子１１０９の透過軸１１１３に対して平行である。
【００３５】
図１１Ｂは、ＯＦＦ状態にある図１１Ａのディスプレイ１１４９の断面図である。ツイスト型ＩＰＳ方式液晶セル１１０７は、底部ガラス板１１２３Ａおよび最上部ガラス板１１２３Ｂならびに面内電界を印加するための一対の電極１１２５Ａおよび１１２５Ｂを有する。当該セルの底部のところでは、液晶光軸１１７３の方位角方向１１７１は、偏光子１１０９の透過軸に対して平行である。当該セルの最上部のところでは、液晶光軸（示されてない）の方位角方向１１６３は、最上部のところで偏光子１１０３の透過軸に対して平行である。ベース層１１０４上に付着させたツイスト構造層１１６７内部は、負の複屈折材料がツイスト構造をとる。図１１Ｂに示した例では、ツイスト型ＩＰＳ方式液晶セル１１０７内部の液晶光軸ねじれの左右像は右回りである。対応して、ツイスト構造層１１６７は左回りねじれ構造である。ツイスト構造層１１６７の光軸１１６１およびそれらの境界面１１６５のところでの液晶光軸の方位角方向１１６３は、相互に平行である。
【００３６】
図１１Ｃは、液晶セル面に垂直な面内にチルトした光軸を有する正の複屈折材料および厚み方向にわたってねじれた光軸を有する負の複屈折材料を含んでなるフィルムを有するディスプレイ１１５９の断面図である。この場合、当該セル１１０７を補償するフィルムは、ツイスト構造層１１６７が補償フィルム１１１の上に付着した構造を有する。補償フィルム１１１１は、図８Ｂに記載した構造（８０５）を有してもよく、また図８Ｃに記載した構造（８１３）を有してもよい。図１１Ａおよび１１Ｂのディスプレイの場合は、ツイスト構造層１１６７の光軸１１６１およびそれらの境界面１１６５のところでの液晶光軸１１６９の方位角方向１１６３は、相互に平行である。
【００３７】
図１１Ｄは図１１Ａおよび１１Ｂに示すツイスト型ＩＰＳ方式液晶ディスプレイ１１４９のＶＡＣである。この例では、補償フィルム１１１１の構造は図８Ｂに示した８０５の構造である。極視野角α＝３０°のところでのコントラスト比の変化に関するＶＡＣを表す線１１５１を、０≦β＜３６０°に対してプロットした。円１１５３、１１５５、１１５７はそれぞれ、コントラスト比４００、８００および１２００に対応する。図６Ａに示した従来技術のツイスト型ＩＰＳ方式液晶ディスプレイ６３１のＶＡＣ（図６Ｂ）と比較すると、本発明のディスプレイが改善されている。例えば、β＝４５°、１３５°、２２５°および３１５°のところでのコントラスト比は、４００から８００超に増加した。ディスプレイ１１５９はディスプレイ１１４９と同じＶＡＣを示す。
【００３８】
図８Ｂおよび８Ｃによって示した光学異方性層８０９を種々の方法で作製することができる。一例は、Ｓｃｈａｄｔ等（Ｊａｐａｎｅｓｅ　Ｊｏｕｒｎａｌ　ｏｆ　Ａｐｐｌｉｅｄ　Ｐｈｙｓｉｃｓ，　Ｐａｒｔ２　（Ｌｅｔｔｅｒｓ）　ｖ３４，　ｎ６，　１９９５，ｐｐ．Ｌ７６４−７６７）によって提案されているような光配向法である。例えば、薄い配向層をベースフィルム上に塗布し、続いて偏光させた光を照射する。そして液晶モノマーをこの配向層の上に塗布し、さらに照射して重合させる。この異方性層内の光軸のチルトは、照射角度、異方性層の厚みならびに材料の特性に依存する。また、配向層の表面を機械的にラビングすることによっても所望の配向を得ることができる。他の公知の方法は、剪断力配向および電界または磁界効果を用いる。層の底部のところ１０１１での光軸１００７が一様となるように、同じ配向方法を用いて、負の複屈折フィルムからなるツイスト構造フィルムを調製してもよい。例えば、米国特許第６，２４５，３９８号明細書に記載されている方法によって、所望の左右像を有する層厚み方向内のツイスト構造を得ることができる。
【００３９】
米国特許第６，３６２，０３２号明細書に教示されているもののように、ＩＰＳ方式液晶ディスプレイでは種々の電極構成がある。ＯＮまたはＯＦＦ状態の一つにおいて、光軸が液晶セル面に対して十分に平行（±１０°内）を保ったままである場合に、電極構成の全ての変形を伴うＩＰＳ方式液晶ディスプレイに本発明を等しく適用することができる。
【００４０】
本発明を液晶ディスプレイ装置と組合せて用いることができる。この制御を実現するのに要するエネルギーは、一般的に、陰極管等の他のディスプレイタイプに用いられる発光材料に必要なエネルギーよりも非常に少ない。したがって、液晶ディスプレイ技法は、軽量、低電力消費および長寿命が重要な特徴となる、デジタル時計、計算機、ポータブルコンピュータ、電子ゲーム機器を含めた（これらに限定されない）多くの用途に用いられる。
【００４１】
【実施例】
以下の例では、Ｍｅｒｃｋ　Ｉｎｃ．由来の液晶ＺＬＩ−４６２１を用いた。
例１：図９Ａに示すようなホモジニアス型ＩＰＳ方式液晶ディスプレイ９２１セル厚は３．４７マイクロであり、５５０ｎｍの波長の光でＲｃｅｌｌ＝３４２ｎｍとなる。補償フィルム９０５は、図８Ｃに示すフィルム構造８１３を有し、θ２＝１１°、θ３＝２°である。異方性層８０９は、積、ｄａｎｓ（ｎｅａｎｓ−ｎｏａｎｓ）＝１４０ｎｍを有する。ベースフィルムは、Ｒｂａｓｅ＝８０ｎｍの正のＣ−フィルム光学特性を有する。ＯＦＦ状態は、印加電圧０Ｖに対応し、ＯＮ状態では印加電圧は１０Ｖである。２つの隣接する電極間の距離は１５μｍであり、電極の幅は７μｍである。セル面３１０のところの液晶光軸のチルト角φは４°である。このディスプレイ構成をを図９Ａに示し、そのＶＡＣを図９Ｂに示す。
【００４２】
本発明のディスプレイ９２１は、図７Ｃに示される従来技術７１７のディスプレイよりも良好なＶＡＣ（図９Ｂに示す）を有する。コントラスト比は、ディスプレイ９２１の広範な方位視野角において、図７Ａに示す従来技術のディスプレイ７１７よりも増加した。
【００４３】
例２：図１１Ａおよび１１Ｂに示すようなツイスト型ＩＰＳ方式液晶ディスプレイ
セル厚は４．９６μｍである。二つの隣接電極間の距離は１５μｍであり、電極幅は７μｍである。ツイスト型ＩＰＳ方式液晶セルの液晶光軸は９０°ねじれており、このねじれは右回りである。補償フィルム１１１１は図８Ｂに示すようなフィルム構造８０５を有する。θ１＝２°である。補償フィルムのベースフィルム８１１の位相リターデーションＲｂａｓｅは８０ｎｍである。異方性層８０９は、積、ｄａｎｓ（ｎｅａｎｓ−ｎｏａｎｓ）＝１３５ｎｍを有する。ツイスト構造フィルム１１０５のベースフィルム１１０４を光学的に等方性であると仮定する。このツイスト構造相１１６７内の負複屈折材料の光軸は９０°ねじれており、このねじれは左回りである。等式：ｄｎｅｇ（ｎｏｎｅｇ−ｎｅｎｅｇ）＝ｄｃｅｌｌ（ｎｅｌｃ−ｎｏｌｃ）とする。ＯＦＦ電圧は０ＶでありＯＮ電圧は１３Ｖである。液晶光軸のチルトφは３°である。図１１Ｄは図１１Ａおよび１１Ｂに示すようなツイスト型ＩＰＳ方式液晶ディスプレイのＶＡＣを表す。本発明にしたがうディスプレイ１１４９は、図６Ａに示す従来技術ディスプレイ６３１のＶＡＣよりも優れたＶＡＣを有する。コントラスト比は、従来技術ディスプレイ６３１よりも該ディスプレイ１１４９の広範な方位視野角範囲において増加した。特に、角度β＝４５°、１３５°および３１５°での増加が顕著である。
【００４４】
本発明の態様は、ＩＰＳ方式液晶ディスプレイのＯＦＦ状態の光漏洩を防止する優れた手段を提供することができ、ＩＰＳ方式液晶セルおよび補償フィルムを組合せることによって、ＩＰＳ方式を用いる高視野角ＬＣＤを提供することができ、そして、本発明のディスプレイを含む電子装置を提供することができ、ならびに本発明のディスプレイの調製方法を提供することができる。液晶セル面に対して垂直な面内でチルトした光軸を備えた配向された正の複屈折材料を有する補償フィルムを、ホモジニアスかつツイスト型のＩＰＳ方式液晶セルと組合せて用いることができる。
【００４５】
本発明の態様は前述したようなディスプレイを提供し、補償フィルムがＩＰＳ方式液晶セルと偏光子との間に配置され；正複屈折層とベースフィルムとの間に配向層を含み；正複屈折材料層の光軸内のチルトが当該層の厚みにわたって一様であり；正複屈折材料層の光軸内のチルトが層の厚みにわたって変化し；補償子フィルムがＩＰＳ方式液晶セルと偏光子の１つとの間に配置され；電界が印加されてない場合、方位角回転が右回りまたは左回りであり；そして補償フィルムの正複屈折材料の光軸の配向が、光配向、機械ラビング、剪断力の使用、または電界もしくは磁界効果等の手段によって達成されることを含む。
【００４６】
本明細書で引用した特許および他の刊行物の全内容は参照することにより本明細書の内容とする。
【図面の簡単な説明】
【図１】図１はディスプレイの視野角の定義を表す。
【図２Ａ】図２ＡはＯＦＦ状態のホモジニアス型ＩＰＳ方式液晶ディスプレイの平面図である。
【図２Ｂ】図２ＢはＯＮ状態のホモジニアス型ＩＰＳ方式液晶ディスプレイの平面図である。液晶の誘電異方性が正である。
【図２Ｃ】図２ＣはＯＮ状態のホモジニアス型ＩＰＳ方式液晶ディスプレイの平面図である。液晶の誘電異方性が負である。
【図３Ａ】図３Ａは図２Ａに対応する液晶ディスプレイの側面図である。
【図３Ｂ】図３Ｂは図２Ｂに対応する液晶ディスプレイの側面図である。
【図３Ｃ】図３Ｃは図２Ｃに対応する液晶ディスプレイの側面図である。
【図３Ｄ】図３Ｄは液晶光軸のチルト角がゼロでない、図３Ａに対応するＯＦＦ状態を表す。
【図４Ａ】図４ＡはＯＦＦ状態のツイスト型ＩＰＳ方式液晶ディスプレイの側面図である。液晶の誘電異方性が正である。
【図４Ｂ】図４ＢはＯＮ状態のツイスト型ＩＰＳ方式液晶ディスプレイの側面図である。
【図４Ｃ】図４ＣはＯＮ状態のツイスト型ＩＰＳ方式液晶ディスプレイの側面図である。液晶の誘電異方性が負である。
【図４Ｄ】図４Ｄは液晶光軸のチルト角がゼロでない、図４Ａに対応するＯＦＦ状態を表す。
【図５Ａ】図５Ａはフィルム平面に対する位相リターデーションの屈折率楕円体を表す。Ａ−フィルムを表す。
【図５Ｂ】図５Ｂはフィルム平面に対する位相リターデーションの屈折率楕円体を表す。Ｃ−フィルムを表す。
【図５Ｃ】図５Ｃはフィルム平面に対する位相リターデーションの屈折率楕円体を表す。二軸フィルムを表す。遅い軸は面に対して垂直である。
【図５Ｄ】図５Ｄはフィルム平面に対する位相リターデーションの屈折率楕円体を表す。二軸フィルムを表す。遅い軸は一般的な方向である。
【図６Ａ】図６Ａはツイスト型ＩＰＳ方式液晶セルを用いた従来のディスプレイを表す。
【図６Ｂ】図６Ｂは方位視野角に対するコントラスト比のプロットである。
【図７Ａ】図７Ａはホモジニアス型ＩＰＳ方式液晶セルを用いた従来のディスプレイを表す。
【図７Ｂ】図７Ｂはチルト角２°の場合の方位視野角に対するコントラスト比のプロットである。
【図７Ｃ】図７Ｃはチルト角４°の場合の方位視野角に対するコントラスト比のプロットである。
【図８Ａ】図８Ａはベースフィルム上に付着された異方性層の構成材料を示す正の複屈折の屈折率楕円体を表す。
【図８Ｂ】図８Ｂは一様にチルトした光軸を有するフィルムを示す。
【図８Ｃ】図８Ｃは厚み方向に光軸方向が変化するフィルムを示す。
【図９Ａ】図９Ａは本発明のディスプレイの該略図を表す。
【図９Ｂ】図９Ｂは方位視野角に対するコントラスト比のプロットである。
【図１０Ａ】図１０Ａはベースフィルム上に付着された異方性層の構成材料を示す負の複屈折の屈折率楕円体を表す。
【図１０Ｂ】図１０Ｂはツイスト構造フィルムの構造を表す。
【図１１Ａ】図１１Ａは本発明のディスプレイの該略図を表す。
【図１１Ｂ】図１１Ｂは図１１Ａのディスプレイの断面図を表す。
【図１１Ｃ】図１１Ｃは別のディスプレイの断面図を表す。
【図１１Ｄ】図１１Ｄは図１１Ａ、ＢおよびＣに示すディスプレイの方位視野角に対するコントラスト比のプロットである。
【符号の説明】
１０１…液晶ディスプレイ
１０７…液晶ディスプレイ面
１０９…見る方向を示すベクトル
２０１…液晶光軸
２０３…偏光子の透過軸
２０５Ａ…面内電界のための電極
２０５Ｂ…面内電界のための電極
２０７…電源
３０１…ホモジニアス型ＩＰＳ方式液晶ディスプレイ
３０２…偏光子
３０３…偏光子
３０４…液晶光軸
３０９Ａ…底部ガラス板
３０９Ｂ…最上部ガラス板
３１１…光軸３０４の方位角方向
３２０…配向層
４０２…偏光子
４１１…ツイスト型ＩＰＳ方式液晶ディスプレイ
５０１…位相リターデーションフィルムの面
５０５…光軸
５０９…遅い軸
６０５…ツイスト構造フィルム
６３１…ツイスト型ＩＰＳ方式液晶ディスプレイ
７０１…二軸補償フィルム
７０９…二軸補償フィルムの遅い軸
７１５…偏光子７０７の透過軸
８０３…光軸の方向
８０９…光学的異方性層
８１１…ベースフィルム
９０５…補償フィルム
１００５…層１０１１の最上部の光軸
１００７…層１０１１の底部の光軸
１０１３…ツイスト構造フィルム
１１０７…ツイスト型ＩＰＳ方式液晶ディスプレイ
１１６７…ツイスト構造層
１１７３…液晶光軸
【図１】
2004094219.tif 000004
【図２Ａ】
2004094219.tif 000005
【図２Ｂ】
2004094219.tif 000006
【図２Ｃ】
2004094219.tif 000007
【図３Ａ】
2004094219.tif 000008
【図３Ｂ】
2004094219.tif 000009
【図３Ｃ】
2004094219.tif 000010
【図３Ｄ】
2004094219.tif 000011
【図４Ａ】
2004094219.tif 000012
【図４Ｂ】
2004094219.tif 000013
【図４Ｃ】
2004094219.tif 000014
【図４Ｄ】
2004094219.tif 000015
【図５Ａ】
2004094219.tif 000016
【図５Ｂ】
2004094219.tif 000017
【図５Ｃ】
2004094219.tif 000018
【図５Ｄ】
2004094219.tif 000019
【図６Ａ】
2004094219.tif 000020
【図６Ｂ】
2004094219.tif 000021
【図７Ａ】
2004094219.tif 000022
【図７Ｂ】
2004094219.tif 000023
【図７Ｃ】
2004094219.tif 000024
【図８Ａ】
2004094219.tif 000025
【図８Ｂ】
2004094219.tif 000026
【図８Ｃ】
2004094219.tif 000027
【図９Ａ】
2004094219.tif 000028
【図９Ｂ】
2004094219.tif 000029
【図１０Ａ】
2004094219.tif 000030
【図１０Ｂ】
2004094219.tif 000031
【図１１Ａ】
2004094219.tif 000032
【図１１Ｂ】
2004094219.tif 000033
【図１１Ｃ】
2004094219.tif 000034
【図１１Ｄ】
2004094219.tif 000035